(57)【要約】【課題】高いコストをかけることなく、流体を殺菌することができ、施工現場での作業を煩雑化させないポンプ、流体循環設備、建物を提供すること。【解決手段】ポンプ４は、浴槽水を吸入、排出し、配管内に浴槽水を循環させるポンプ本体を備えている。ポンプ本体は、配管が接続される吸入部４４Ａを備え、吸入部４４Ａの管状部４４３の外周側には磁気活性化装置８が取り付けられている。磁気活性化装置８は一対の磁気活性化装置本体８１を備え、この磁気活性化装置本体８１は、ネオジウム永久磁石８１１と、磁路を形成するための鉄製のヨーク８１２とを有している。【選択図】　図４
2004144059.tif 000002
【特許請求の範囲】
【請求項１】
配管が接続される吸入部及び排出部を有し、前記吸入部から流体を吸入し、前記排出部から吸入した流体を排出することで前記配管内に流体を循環させるポンプ本体と、このポンプ本体を駆動するためのモータとを備えるポンプであって、
前記吸入部及び排出部のうち少なくとも何れか一方には、配管から供給された流体を活性化するための磁気活性化装置が一体的に設けられていることを特徴とするポンプ。
【請求項２】
流体を利用する流体利用設備と、この流体利用設備に流体を供給する第１配管と、この流体利用設備で利用された流体を排出する第２配管とを備えた流体循環設備であって、
第１配管と、第２配管との間には請求項１に記載のポンプが配置され、前記ポンプの前記排出部に前記第１配管が接続され、前記吸入部に第２配管が接続されることを特徴とする流体循環設備。
【請求項３】
請求項２に記載の流体循環設備において、
前記流体利用設備は浴槽であることを特徴とする流体循環設備。
【請求項４】
請求項２に記載の流体循環設備において、
前記流体利用設備は、太陽熱温水器の貯水槽であることを特徴とする流体循環設備。
【請求項５】
請求項２から４の何れかに記載の流体循環設備を備えたことを特徴とする建物。
【発明の詳細な説明】
【０００１】
【発明の属する技術分野】
本発明は、ポンプ、流体循環設備、建物に関する。
【０００２】
【背景技術】
近年、環境資源の保護のために、浴槽等の流体利用設備の水をポンプにて循環し、再度利用する流体循環設備が利用されている。このような流体循環設備において、循環中の水を殺菌するために、殺菌用電解槽で電解を行うものや、紫外線ランプにより、殺菌を行うものなどが提案されている。（例えば、特許文献１参照）
また、配管に磁気活性化装置を取り付け、磁気により水を活性化することで、殺菌、滅菌を行うものも提案されている。
【０００３】
【特許文献１】
特開平１１−２９４８５３号（第２頁〜第３頁、図１）公報
【０００４】
【発明が解決しようとする課題】
しかし、殺菌用電解槽や、紫外線ランプを用いるものは、大きな配置スペースを必要とするという問題がある。また、駆動に大きな電力を必要とし、ランニングコストがかかるという問題もある。
一方、磁気活性化装置を使用する場合には、電力を使用しないため、コストがかからないものの、流体循環設備を組み立てた後、配管等に取り付けることが多いので、施工現場での取り付けに手間がかかるという問題がある。
【０００５】
本発明の目的は、高いコストをかけることなく、流体を殺菌することができ、施工現場での作業を煩雑化させないポンプ、流体循環設備、建物を提供することである。
【０００６】
【課題を解決するための手段】
そのため、本発明は以下の構成を採用して前記目的を達成しようとするものである。
具体的には、本発明のポンプ４は、配管６，７，６’７’が接続される吸入部４４Ａ及び排出部４４Ｂを有し、前記吸入部から流体を吸入し、前記排出部から吸入した流体を排出することで前記配管内に流体を循環させるポンプ本体４１と、このポンプ本体を駆動するためのモータ４２とを備えるポンプであって、前記吸入部及び排出部のうち少なくとも何れか一方には、配管から供給された流体を活性化するための磁気活性化装置８が一体的に設けられていることを特徴とする。
【０００７】
ここで、磁気活性化装置はポンプの吸入部、排出部の何れか一方にのみ取り付けられていてもよく、また、双方に取り付けられていてもよい。双方に取り付けられている場合には、より効果的に流体を活性化でき、殺菌等を行うことができる。
【０００８】
本発明によれば、ポンプの吸入部、排出部に磁気活性化装置が取り付けられているので、施工現場で磁気活性化装置を取り付ける必要がない。従って、施工現場での施工作業を煩雑化させることがない。
また、磁気活性化装置は、ポンプの吸入部、排出部に一体化されているので、別体とする場合に比べ省スペース化を図ることができる。
さらに、磁気活性化装置を使用しているので、殺菌等を行うための外部電力が不要であり、ランニングコストがかからない。また、磁気活性化装置は磁気により殺菌等を行うものであるためメンテナンスフリーであるという利点もある。
【０００９】
本発明の流体循環設備１，１’は、流体を利用する流体利用設備２，２’と、この流体利用設備に流体を供給する第１配管６，６’と、この流体利用設備で利用された流体を排出する第２配管７，７’とを備えた流体循環設備であって、第１配管と、第２配管との間には上述したポンプ４が配置され、前記ポンプの前記排出部に前記第１配管が接続され、前記吸入部に第２配管が接続されることを特徴とする。
この発明によれば、上述したポンプを備えているので、ポンプと同様の効果を奏することができる。すなわち、高いコストをかけることなく、流体を殺菌することができ、施工現場での作業を煩雑化させないという効果を奏することができる。
【００１０】
本発明では、前記流体利用設備は浴槽であってもよく、また、太陽熱温水器の貯水槽であってもよい。
流体利用設備を浴槽とする場合には、追炊き機能つきの浴槽とすることが特に好ましい。このような浴槽を介して循環する流体を磁気活性化装置で活性化することで雑菌等の発生を確実に防止でき、いわゆる２４時間風呂として利用することができる。
また、流体利用設備を太陽熱温水器の貯水槽とすることで、太陽光であたためられた温水の殺菌等を行うことが可能となる。
【００１１】
本発明の建物は、上述した何れかの流体循環設備を備えたことを特徴とする。この発明によれば、建物は、上述した何れかの流体循環設備を備えているので、流体循環設備と同様の作用効果を奏することができる。
【００１２】
【発明の実施の形態】
以下、本発明の実施形態を図面に基づいて説明する。
図１には、本実施形態の流体循環設備１を備えた建物９が示されている。この建物９は、基礎９１と、基礎９１上に設置された建物本体９２と、建物本体９２上に設置された屋根９３とを備えている。
【００１３】
図２に示すように、流体循環設備１は、浴槽２（流体利用設備）と、フィルタ装置３と、ポンプ４と、加熱装置５とを備えている。
浴槽２は建物本体９２内に配置されており、この浴槽２には、浴槽２内に浴槽水を供給する第１配管６と、浴槽２内の浴槽水を排出する第２配管７とが接続されている。
【００１４】
フィルタ装置３は、第２配管７の中間部に設置されている。このフィルタ装置３は図示しないフィルタにより水に含まれる湯垢、ごみ、髪の毛等を取り除くものである。フィルタとしては、例えば、活性石、活性炭を充填した吸着剤ろ過フィルタや、織布、不織布等からなるフィルタを使用することができる。
【００１５】
ポンプ４は、フィルタ装置３の下流側に配置されている。このポンプ４は、図３に示すように浴槽水を吸入、排出し、第１配管６及び第２配管７内に浴槽水を循環させるポンプ本体４１と、このポンプ本体４１を駆動するためのモータ４２とを備えている。
ポンプ本体４１は、吸入口４３Ａ及び排出口（図示略）が形成されたケース４３と、このケース４３の吸入口４３Ａに接続される筒状の吸入部４４Ａと、排出口に接続される筒状の排出部４４Ｂとを備えている。
【００１６】
ケース４３は円柱形状であり、モータ４２と反対側の端面に吸入口４３Ａが形成され、側面に排出口が形成されている。この吸入口４３Ａ及び排出口は、ケース４３から突出しており、その外周面にはねじ４３１が刻接されている。
また、このケース４３内には、図示しないが浴槽水を循環させるためのインペラーや、浴槽２内の水位を検出する水位センサが収納されている。
【００１７】
図４に示すように、吸入部４４Ａは、円筒状の本体４４１と、この本体４４１の端部に形成されたフランジ部４４２とを備えている。
フランジ部４４２には、その端面を貫通する孔４４２Ａが形成されており、この孔４４２Ａに第２配管７の先端が接続される。
【００１８】
本体４４１は、管状部４４３と、この管状部４４３の外周側に取り付けられた磁気活性化装置８と、この磁気活性化装置８と管状部４４３とを一体的に固定する円柱状の固定部４４４とを備える。
管状部４４３の一端には雌ねじ４４５が刻接されており、吸入口４３Ａのねじ４３１が螺合される。また、管状部４４３の他端は、フランジ部４４２に形成された孔４４２Ａに連通しており、第２配管７からの浴槽水は、フランジ部４４２の孔４４２Ａを介して管状部４４３を通過する。
【００１９】
磁気活性化装置８は、管状部４４３を挟んで対向配置される一対の磁気活性化装置本体８１を備える。この磁気活性化装置本体８１は、ネオジウム永久磁石８１１と、磁路を形成するための鉄製のヨーク８１２とを有している。
ヨーク８１２は、中心部が窪んだ断面略Ｕ字形であり、この窪み部分に管状部４４３が配置される。また、ヨーク８１２のＵ字形カーブの頂点部分には切り欠き８１２Ａが形成されており、この切り欠き８１２Ａにネオジウム永久磁石８１１がはめ込まれている。
【００２０】
このような一対の磁気活性化装置本体８１を対向配置すると、図５に示すように、各磁気活性化装置本体８１のネオジウム永久磁石８１１は、Ｓ極同士、Ｎ極同士が互いに対向することとなる。これにより反発磁界が生じ、管状部４４３の中央部に磁力線Ｍを飛ばすことができる。また、一対の磁気活性化装置本体８１を対向配置した際には、それぞれの磁気活性化装置８のヨーク８１２の先端部は近接することとなる。
なお、排出部４４Ｂは、吸入部４４Ａと同様の構造となっており、この排出部４４Ｂには第１配管６が接続されている。
【００２１】
再度、図３に示すように、モータ４２は、支持台４５により支持されている。このモータ４２は、図示しないが、モータシャフトと、このモータシャフトを駆動するモータコイルとを備えている。
モータシャフトの先端部には、ケース４３内に収納されたインペラーが取り付けられている。また、モータコイルには制御回路を通じて電気が供給される。
【００２２】
加熱装置５は、第１配管６の中間部に取り付けられており（図２参照）、ポンプ４により送り込まれた浴槽水を加熱するものである。この加熱装置５としてはヒータや、熱交換器、ボイラ等の公知のものを使用することができるが、防水型のものを使用することが特に好ましい。
【００２３】
以上のような流体循環設備１において、浴槽水は次のようにして循環し、再利用される。
浴槽２において、使用された浴槽水は、第２配管７を通り、フィルタ装置３でろ過され、湯垢や髪の毛等が除去される。次に、この浴槽水は、ポンプ４により吸引される。この際、浴槽水はポンプ４の吸入部４４Ａ及び吸入口４３Ａを通り、ケース４３内に吸入される。ケース４３内の浴槽水は、排出口及び排出部４４Ｂを通りケース４３から排出される。なお、この浴槽水は、ポンプ４の吸入部４４Ａ及び排出部４４Ｂを通過する際に、磁気活性化装置８により活性化され、除菌、殺菌される。
活性化された浴槽水は第１配管６を通り、加熱装置５に導入され、所定の温度まで加熱される。さらに、加熱された浴槽水は、浴槽２に戻され、再利用される。
【００２４】
従って、本実施形態によれば、以下の効果を奏することができる。
ポンプ４の吸入部４４Ａ、排出部４４Ｂに磁気活性化装置８が一体的に取り付けられているので、施工現場で磁気活性化装置８を取り付ける必要がない。従って、施工現場での施工作業を煩雑化させることがない。
【００２５】
また、磁気活性化装置８は、ポンプ４の吸入部４４Ａ、排出部４４Ｂに一体化されているので、別体とする場合に比べ省スペース化を図ることができる。
さらに、磁気活性化装置８は、ネオジウム永久磁石８１１を用いたものであるため、磁気を作用させるための外部電力が不要であり、ランニングコストがかからない。また、磁気活性化装置８は磁気により殺菌等を行うものであるためメンテナンスフリーであるという利点もある。
【００２６】
また、磁気活性化装置８は、吸入部４４Ａ、排出部４４Ｂの何れか一方のみ設けてもよいが、本実施形態では、吸入部４４Ａ、排出部４４Ｂの双方に設けられているので、浴槽水をより完全に活性化させることができる。
【００２７】
本実施形態では、磁気活性化装置８の一対の磁気活性化装置本体８１のヨーク８１２の先端部は近接している。これにより、不要な磁束の漏洩を防止することができる。また、このようにヨーク８１２の先端部を近接させることで管状部４４３の中央部に磁力線を飛ばすことが可能となる。そのため、より効果的に浴槽水の活性化を行うことができる。
【００２８】
フィルタ装置３により湯垢や髪の毛等を除去し、磁気活性化装置８により浴槽水を活性化し、殺菌することで、浴槽水浴槽水を２４時間以上完全換水を行わないで循環ろ過するいわゆる２４時間風呂として使用することができる。
【００２９】
なお、本発明は前述の実施の形態に限定されるものではなく、本発明の目的を達成できる範囲での変形、改良等は本発明に含まれるものである。
前記実施形態では、流体循環設備１を浴槽２を備えたいわゆる２４時間風呂としたが、これに限らず、図６（Ａ）に示すように、例えば、太陽熱温水器１’であってもよい。この太陽熱温水器１’は、屋根上に設けた太陽熱を集熱する集熱部１０と、この集熱部１０で過熱される媒体液を貯水槽２’に循環させる媒体循環部１１と、貯水槽２’内の温水を循環する温水循環部１２とを有している。
【００３０】
温水循環部１２は、貯水槽２’内に温水を供給する第１配管６’と、貯水槽２’内の温水を排出する第２配管７’と、第１配管６’及び第２配管７’との間に設けられたポンプ４とを備える。
このように、流体循環設備を太陽熱温水器１’とすることで、太陽光にあたためられた温水の殺菌等を行うことが可能となる。
【００３１】
さらに、前記実施形態では、流体循環設備１は、加熱装置５により浴槽水を加熱していたが、これに限らず、例えば、図６（Ｂ）に示すように、ポンプ４から排出された浴槽水を太陽熱温水器１’に導入し、加熱してもよい。この場合には必要に応じて加熱装置５を設ければよい。
このように太陽熱温水器１’を使用することで省エネルギーを図ることができる。さらに、太陽熱温水器１’においても磁気活性化装置８で浴槽水を活性化できるので、より効果的に殺菌等を行うことができる。
【００３２】
また、前記実施形態では、流体循環設備１は、加熱装置５を備えるものとしたが、加熱装置５はなくてもよい。例えば、流体利用設備を浄化槽、防火用水槽、魚養殖用の水槽等の水槽や、プール等に使用する場合には加熱装置は不要である。さらに、流体利用設備を浴槽とする場合であっても、浴槽をガス等により温度調節する機能を有するものとする場合には、加熱装置は不要である。
【００３３】
また、前記実施形態の流体循環設備１は、フィルタ装置３を備えるものとしたが、流体利用設備を浄化槽、防火用水槽等に使用する場合には、フィルタ装置はなくてもよい。ただし、フィルタ装置３を備えることで、垢や塵等を取り除くことができるので、より清潔に流体を循環させることが可能となる。
【００３４】
また、前記実施形態では、磁気活性化装置８をＳ極同士、Ｎ極同士による反発磁界により、磁界を形成する構成としたが、このような構成には限らず、Ｎ極とＳ極とが引き合うように配置することで、磁界を形成するものであってもよい。さらに、前記実施形態では、吸入部４４Ａ及び排出部４４Ｂの双方に磁気活性化装置８が設けられているとしたが、何れか一方のみであってもよい。このようにすれば、磁気活性化装置８は一つでよいため、コストを削減することができる。
【００３５】
【発明の効果】
請求項１に記載の発明によれば、ポンプの吸入部、排出部に磁気活性化装置が取り付けられているので、施工現場で磁気活性化装置を取り付ける必要がない。従って、施工現場での施工作業を煩雑化させることがない。
また、磁気活性化装置は、ポンプの吸入部、排出部に一体化されているので、別体とする場合に比べ省スペース化を図ることができる。
さらに、磁気活性化装置を使用しているので、殺菌等を行うための外部電力が不要であり、ランニングコストがかからない。また、磁気活性化装置は磁気により殺菌等を行うものであるためメンテナンスフリーであるという利点もある。
【００３６】
請求項２に記載の発明によれば、上述したポンプを備えているので、ポンプと同様の効果を奏することができる。すなわち、高いコストをかけることなく、流体を殺菌することができ、施工現場での作業を煩雑化させないという効果を奏することができる。
請求項３に記載の発明によれば、浴槽を介して循環する流体を磁気活性化装置で活性化することで雑菌等の発生を確実に防止でき、いわゆる２４時間風呂として利用することができる。
【００３７】
請求項４に記載の発明によれば、流体利用設備を太陽熱温水器の貯水槽とすることで、太陽光に暖められた温水の殺菌等を行うことが可能となる。
請求項５に記載の発明によれば、建物は、上述した何れかの流体循環設備を備えているので、流体循環設備と同様の作用効果を奏することができる。
【図面の簡単な説明】
【図１】本発明の実施形態の建物を示す斜視図である。
【図２】流体循環設備を示す模式図である。
【図３】流体循環設備のポンプを示す斜視図である。
【図４】前記ポンプの要部を示す斜視図である。
【図５】磁気活性化装置による磁界の発生を示す図である。
【図６】流体循環設備の変形例を示す図である。
【符号の説明】
１　　　流体循環設備
１’　　太陽熱温水器
２　　　浴槽
２’　　貯水槽
４　　　ポンプ
６，６’第１配管
７，７’第２配管
８　　　磁気活性化装置
９　　　建物
４１　　　ポンプ本体
４２　　　モータ
４４Ａ　　吸入部
４４Ｂ　　排出部
【図１】
2004144059.tif 000003
【図２】
2004144059.tif 000004
【図３】
2004144059.tif 000005
【図４】
2004144059.tif 000006
【図５】
2004144059.tif 000007
【図６】
2004144059.tif 000008